(57)【要約】【課題】快適で居住者の好みに応じた輻射暖房環境を供給するとともに、より効率的に輻射加熱が実現できる空調システムを提供することを目的とする。【解決手段】居住者に対して水平成分の照射方向が異なる輻射熱を発生する複数の輻射暖房手段３と、前記複数の各輻射暖房手段３の輻射量を時系列に制御する輻射量制御手段４とを備えたもので、体の各部に対する輻射熱を常に変化させることができる。また、輻射量が最も強い照射方向が経時的に変化するように複数の各輻射暖房手段３の輻射量を時系列に制御することで、輻射熱がより強く照射される体の部分を変化させることができる。【選択図】図１
2005326055.tif 000002
【特許請求の範囲】
【請求項１】
居住者に対して水平成分の照射方向が異なる輻射熱を発生する複数の輻射暖房手段と、前記複数の各輻射暖房手段の輻射量を時系列に制御する輻射量制御手段とを備えた空調システム。
【請求項２】
輻射量制御手段は、輻射量が最も強い照射方向が経時的に変化するように、複数の各輻射暖房手段の輻射量を時系列に制御することを特徴とする請求項１記載の空調システム。
【請求項３】
水平成分の照射方向の中で、最も発生頻度が多い照射方向を選択する主照射方向選択手段を有する請求項１または２記載の空調システム。
【請求項４】
水平成分の照射方向の中から、停止したい照射方向を選択する停止照射方向選択手段を有する請求項１〜３のいずれか１項に記載の空調システム。
【発明の詳細な説明】
【技術分野】
【０００１】
本発明は本発明は、複数の輻射暖房手段の輻射量制御によって水平成分の照射方向が異なる複数の輻射熱を発生する空調システムに関するものである。
【背景技術】
【０００２】
従来、この種の空調システムでは、居住室の天井付近に設置され、互いに照射目標領域までの距離に応じて指向性が異なる複数種の赤外線放射ランプが配置されることにより、体の各部に対して照射強度を均一化させることができるため、体の全体に対して温熱感がより均等化され快適な暖房感が得られるようしている。
【０００３】
図６は、従来の空調システムを示すもので、部屋１の天井または天井近傍に設置された指向性の異なる複数種類の赤外線放射ランプ２から構成されている（例えば、特許文献１参照）。
【特許文献１】特開平７−３３２６８３号公報
【発明の開示】
【発明が解決しようとする課題】
【０００４】
しかしながら、前記従来の構成では、体全体に対して常に同じ照射強度の輻射熱が照射されるため、温熱感の慣れが生じることにより快適感が低下するという課題を有していた。また、居住者が輻射熱をより強めたい照射方向や、逆に輻射熱をより弱めたい照射方向がある場合に各照射方向の輻射熱が調節できないため十分な快適さを与えることができないという課題を有していた。
【０００５】
本発明は、前記従来の課題を解決するもので、快適で居住者の好みに応じた輻射暖房環境を供給するとともに、より効率的に輻射加熱が実現できる空調システムを提供することを目的とする。
【課題を解決するための手段】
【０００６】
前記従来の課題を解決するために、本発明の空調システムは、居住者に対して水平成分の照射方向が異なる輻射熱を発生する複数の輻射暖房手段と、前記複数の各輻射暖房手段の輻射量を時系列に制御する輻射量制御手段とを備えたもので、体の各部に対する輻射熱を常に変化させることができる。また、輻射量が最も強い照射方向が経時的に変化するように複数の各輻射暖房手段の輻射量を時系列に制御することで、輻射熱がより強く照射される体の部分を変化させることができる。
【発明の効果】
【０００７】
本発明によれば、快適で居住者の好みに応じた輻射暖房環境を供給するとともに、より効率的に輻射加熱が実現できる空調システムを提供できる。
【発明を実施するための最良の形態】
【０００８】
第１の発明は、居住者に対して水平成分の照射方向が異なる輻射熱を発生する複数の輻射暖房手段と、前記複数の各輻射暖房手段の輻射量を時系列に制御する輻射量制御手段とを備えたもので、、体の各部に対する輻射熱を常に変化させ、体の各部に対する温熱感の慣れを防ぐことができ、常に快適な輻射暖房環境を与えることができるとともにより効率的な輻射暖房を行うことができる。
【０００９】
第２の発明は、特に、第１の発明において、輻射量制御手段は、輻射量が最も強い照射
方向が経時的に変化するように、複数の各輻射暖房手段の輻射量を時系列に制御することを特徴とするもので、輻射熱がより強く照射される体の部分を変化させることができが可能となり、体の各部に対してより強い温熱感を持続させることができ、より快適な輻射暖房環境を与えることができる。
【００１０】
第３の発明は、特に、第１または第２の発明において、水平成分の照射方向の中で、最も発生頻度が多い照射方向を選択する主照射方向選択手段を有するもので、居住者が体の各部に対する照射方向の中で一部の照射方向の輻射熱をより多く感じることができ、居住者は好みに応じた輻射暖房環境を実現することができる。
【００１１】
第４の発明は、特に、第１〜第３のいずれかの発明において、水平成分の照射方向の中から、停止したい照射方向を選択する停止照射方向選択手段を有するもので、居住者が体の各部に対する照射方向の中で一部の照射方向の輻射熱を感じなくすることができ、居住者は好みに応じた輻射暖房環境を実現することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空調システムおよびその制御方法の制御ブロック図を示すものである。図２は、空調システムの制御装置が設置された部屋の配置を示す平面図である。
【００１４】
図１において、３は居住者に対する水平成分の照射方向が異なる複数の輻射熱を発生する複数の各輻射暖房手段、４は複数の各輻射暖房手段の輻射量を時系列に制御する輻射量制御手段、５は各輻射暖房手段の輻射量を時系列に制御する制御パターンを設定する輻射量時系列設定手段、６は複数の照射方向の中から最も発生頻度が多い照射方向を居住者が選択する主照射方向選択手段、７は複数の照射方向の中から一部の停止したい照射方向を選択する停止照射方向選択手段であり、各輻射暖房手段の輻射量を時系列に変化させることができると共に、居住者の操作によって各輻射暖房手段の輻射量を調節できるように構成されている。
【００１５】
以上のように構成された空調システムおよびその制御方法について、以下その動作、作用を説明する。
【００１６】
部屋１において、３面の壁際の天井付近に設置された３台の輻射暖房手段３が発生する輻射熱は、居住者の方向に向けられている。輻射暖房手段３（ａ）は居住者の正面方向、輻射暖房手段３（ｂ）は居住者の背面方向、輻射暖房手段３（ｃ）は居住者の右面方向の各照射方向の輻射熱を発生する。各輻射暖房手段３は輻射量制御手段４と信号線および電源線で結合されており、各輻射暖房手段３の輻射量は予め記憶された時系列の制御パターンに従って制御される。また、居住者はコントローラ８を用いて最も発生頻度が多い照射方向や停止したい照射方向を選択、設定できるようになっている。
【００１７】
また、図３は、より強く照射される照射方向の変化を生成する３台の各輻射暖房手段の輻射量を時系列に制御する制御パターンの一例を示す。
【００１８】
例えば、輻射暖房手段３（ａ）から居住者の正面方向への照射方向の輻射熱をより強く照射するためには、輻射暖房手段４（ａ）を運転し所定の輻射量に設定し、輻射暖房手段３（ｂ）、輻射暖房手段３（ｃ）を停止させる。または、輻射暖房手段３（ａ）の輻射量よりも輻射暖房手段３（ｂ）、輻射暖房手段３（ｃ）の輻射量を弱めてもよい。
【００１９】
同じようにして、輻射暖房手段３（ｂ）から居住者の斜め背面方向への照射方向、輻射暖房手段３（ｃ）から居住者の右面方向への照射方向の輻射熱をより強く照射する。また、経過時間０〜Ｔ１までの制御パターンを１周期とし、以降同じ制御パターンを繰り返すように制御する。これら各輻射暖房手段３の輻射量を時系列に制御することによって、体の各部での輻射の温熱感が常に変化し、温熱感の慣れを防ぐとともに体の各部で輻射熱の快適さを持続させ、常に体全体の快適感が高い輻射暖房環境を生成することができる。さらに、体の輻射感が向上するため、より低い入力で一定輻射熱環境を同等の輻射感が得られより効率的な輻射暖房を行うことができ省エネルギーを図ることができる。
【００２０】
図４は、３方向の照射方向の内最も輻射熱の発生頻度が多い照射方向（主照射方向）を運転途中で変更した場合における各輻射暖房手段の輻射量の制御パターンの一例を示す。
【００２１】
経過時間０〜Ｔ２までは、３方向の照射方向の中で輻射暖房手段３（ａ）から居住者への照射方向の発生頻度が最も多くなるように各輻射暖房手段３の輻射量の制御パターンが設定されている。
【００２２】
例えば、経過時間Ｔ２において、部屋の居住者が入れ代わり、輻射暖房手段３（ｂ）から居住者への照射方向の発生頻度が最も多くしたいとを感じ、居住者はコントローラ８に備えられた主照射方向設定手段６によって主照射方向を輻射暖房手段３（ｂ）に変更、設定する操作を行う。Ｔ２以降、輻射暖房手段３（ｂ）からの輻射熱の発生頻度が輻射暖房手段３（ａ）と輻射暖房手段３（ｃ）からの輻射熱の発生頻度よりも多くなるように、新たに各輻射暖房手段３の制御パターンが設定変更され、これら制御パターンに従って各輻射暖房手段の輻射量が制御される。
【００２３】
これによって、居住者が体の各部に対する照射方向の中で一部の照射方向の輻射熱をより多く感じることができ、居住者は好みに応じた輻射暖房環境を実現することができる。
【００２４】
また、図５は、３方向の照射方向の内１方向の輻射熱を運転途中で停止させた場合における各輻射暖房手段３の輻射量の制御パターンの一例を示す。経過時間０〜Ｔ３までは、図３に示したように３方向の照射方向の変化を生成する制御パターンに従って各輻射暖房手段３の輻射量が制御される。例えば、経過時間Ｔ３において、居住者が輻射暖房手段４（ｂ）から背面に当たる輻射熱に不快感を感じ、居住者はコントローラ８に備えられた停止照射方向選択手段７によって輻射暖房手段３（ｂ）の停止操作を行う。Ｔ３以降、輻射暖房手段３（ｂ）は停止され（または輻射量を弱めに設定、制御してもよい）、新たに設定された輻射暖房手段３（ａ）と輻射暖房手段３（ｃ）による２方向の照射方向の変化を生成する制御パターンに従って各輻射暖房手段３の輻射量が制御される。
【００２５】
これによって、居住者が体の各部に対する照射方向の中で一部の照射方向の輻射熱を感じなくすることができ、居住者は好みに応じた輻射暖房環境を実現することができる。
【００２６】
以上のように、本実施の形態においては、居住者に対する水平成分の照射方向が異なる複数の輻射熱を発生する複数の輻射暖房手段と、前記複数の各輻射暖房手段の輻射量を時系列に制御する輻射量制御手段とを設けることによって、体の各部に対する輻射熱を常に変化させ、体の各部に対する温熱感の慣れを防ぐことができ、常に快適な輻射暖房環境を与えることができる。さらに、体の輻射感が向上するためより効率的な輻射暖房を行うことができ省エネルギーを図ることができる。
【００２７】
さらに、輻射量が最も強い照射方向が経時的に変化するように複数の各輻射暖房手段の輻射量を時系列に制御することによって、輻射熱がより強く照射される体の部分を変化さ
せることができが可能となり、体の各部に対してより強い温熱感を持続させることができ、常に体全体の快適感が高い輻射暖房環境を生成することができる。
【００２８】
また、水平成分の照射方向の中で最も発生頻度が多い照射方向を選択する主照射方向選択手段を設けることによって、居住者が体の各部に対する照射方向の中で一部の照射方向の輻射熱をより多く感じることができ、居住者は好みに応じた輻射暖房環境を実現することができる。
【００２９】
また、前記水平成分の照射方向の中から一部の停止したい照射方向を選択する停止照射方向選択手段を設けることによって、居住者が体の各部に対する照射方向の中で一部の照射方向の輻射熱を感じなくすることができ、居住者は好みに応じた輻射暖房環境を実現することができる。
【産業上の利用可能性】
【００３０】
以上のように、本発明にかかる空調システムおよびその制御方法は、室内においてより快適な輻射暖房環境を形成するとともに、居住者の好みに応じてより快適且つ効率的な輻射暖房環境の形成が可能となるので、住宅の空調システム（居室、非居室いづれにも適用できる）だけでなくオフィスや店舗等の空調システムの用途にも適用できる。
【図面の簡単な説明】
【００３１】
【図１】本発明の実施の形態１における空調システムおよびその制御方法の制御ブロック図
【図２】同空調システムが設置された部屋の配置図
【図３】同空調システムの各輻射暖房手段の輻射量の制御パターンの一例を示す図
【図４】同空調システムの主照射方向を変更した場合における各輻射暖房手段の輻射量の制御パターンの一例を示す図
【図５】同空調システムの１方向の輻射熱を停止させた場合における各輻射暖房手段の輻射量の制御パターンの一例を示す図
【図６】従来の空調システムが設置された部屋の配置図
【符号の説明】
【００３２】
１  部屋
２  赤外線放射ランプ
３  輻射暖房手段
４  輻射量制御手段
５  輻射量時系列設定手段
６  主照射方向選択手段
７  停止照射方向選択手段
８  コントローラ
【図１】
2005326055.tif 000003
【図２】
2005326055.tif 000004
【図３】
2005326055.tif 000005
【図４】
2005326055.tif 000006
【図５】
2005326055.tif 000007
【図６】
2005326055.tif 000008